(57)【要約】【課題】ディスク搬送ユニットをフロントパネルに対して高い精度で位置決めすることが出来るディスクプレーヤを提供する。【解決手段】本発明に係るディスクプレーヤにおいては、フロントパネル２が取り付けられたベース板１１上に、ディスクトレイ４を往復駆動するディスク搬送ユニット３が設置され、フロントパネル２には、ディスクトレイ４を出没させるための開口が形成されている。ディスク搬送ユニット３を構成するフレーム３１は、フロントパネル２側の端部に突設したダボ３４がフロントパネル２に突設したリブ２２の切欠き２３に係合して、フロントパネル２に対して位置決めされている。【選択図】      図２
2004259331.tif 000002
【特許請求の範囲】
【請求項１】
フロントパネル（２）を具えた筐体（１）の内部に、ディスクトレイ（４）を往復駆動するディスク搬送ユニット（３）が設置され、フロントパネル（２）には、ディスクトレイ（４）を出没させるための開口（２１）が形成されているディスクプレーヤにおいて、ディスク搬送ユニット（３）を構成するフレーム（３１）は、フロントパネル（２）側の端部がフロントパネル（２）と係合して、該端部がフロントパネル（２）に対して位置決めされていることを特徴とするディスクプレーヤ。
【請求項２】
筐体（１）を構成するベース板（１１）の表面にディスク搬送ユニット（３）のフレーム（３１）が設置され、該フレーム（３１）は、フロントパネル（２）側の端部にてベース板（１１）の表面から離間し、反フロントパネル（２）側の端部にてベース板（１１）の表面に固定されている請求項１に記載のディスクプレーヤ。
【請求項３】
フレーム（３１）の反フロントパネル（２）側の端部は、ベース板（１１）の表面にビス止めによって固定されている請求項２に記載のディスクプレーヤ。
【請求項４】
フレーム（３１）の反フロントパネル（２）側の端部は、ベース板（１１）に係止されて固定されている請求項２に記載のディスクプレーヤ。
【請求項５】
ディスク搬送ユニット（３）のフレーム（３１）の両側面にはそれぞれダボ（３４）が外向きに突設される一方、フロントパネル（２）には、ディスク搬送ユニット（３）のフレーム（３１）を両側から挟み込む位置に、一対のリブ（２２）（２２）が突設され、各リブ（２２）には、前記ダボ（３４）が密に嵌合すべき切欠き（２３）が凹設されている請求項１乃至請求項４の何れかに記載のディスクプレーヤ。
【発明の詳細な説明】
【０００１】
【発明の属する技術分野】
本発明は、ＣＤやＤＶＤ等のディスクから信号を再生するディスクプレーヤに関し、更に具体的には、ディスクを搬送するためのディスク搬送ユニットを内蔵したディスクプレーヤにおけるディスク搬送ユニットの取付け構造に関するものである。
【０００２】
【従来の技術】
従来、ディスクプレーヤにおいては、図７及び図８に示す如く、筐体の一部を構成する金属製のベース板（１１）上に、ディスクトレイ（４）を具えたディスク搬送ユニット（３０）が設置され、該ディスク搬送ユニット（３０）のフレーム（３１）に突設された複数の脚片（３２）（３３）が、ベース板（１１）に一体成型した複数の座（１２）（１３）にそれぞれビス（６０）によって固定されている。
又、ベース板（１１）には、ディスク搬送ユニット（３０）のディスクトレイ（４）が出没すべき開口（２１）を有する合成樹脂製のフロントパネル（２０）が取り付けられている（例えば特許文献１参照）。
【０００３】
ディスク搬送ユニット（３０）は、ディスクトレイ（４）をディスク排出位置とディスク収容位置の間で往復駆動するものであって、ディスクトレイ（４）の前方端部には、ディスク収容位置でフロントパネル（２０）の開口（２１）を塞ぐべきシャッター部材（５）が取り付けられている。
【０００４】
【特許文献１】
特開２０００−１４９３６８公報（
【００３６】、
【図６】）
【０００５】
【発明が解決しようとする課題】
しかしながら、図７及び図８に示す従来のディスクプレーヤにおいては、板金によって作製されたベース板（１１）上にディスク搬送ユニット（３０）が直接にビス止め固定されているので、例えばビス止めに伴ってベース板（１１）に反りや歪み等の変形が発生した場合、該変形に伴ってディスク搬送ユニット（３０）の姿勢にバラツキが生じることになる。この結果、ディスク収容位置のディスクトレイ（４）とフロントパネル（２０）の相対的な位置関係に誤差が生じ、シャッター部材（５）がフロントパネル（２０）の開口（２１）に所定の隙間をもって嵌まらず、場合によってはシャッター部材（５）がフロントパネル（２０）と干渉する問題があった。
そこで本発明の目的は、ディスク搬送ユニットをフロントパネルに対して高い精度で位置決めすることが出来るディスクプレーヤを提供することである。
【０００６】
【課題を解決する為の手段】
本発明に係るディスクプレーヤにおいては、フロントパネル（２）を具えた筐体（１）の内部に、ディスクトレイ（４）を往復駆動するディスク搬送ユニット（３）が設置され、フロントパネル（２）には、ディスクトレイ（４）を出没させるための開口（２１）が形成されている。
ディスク搬送ユニット（３）を構成するフレーム（３１）は、フロントパネル（２）側の端部がフロントパネル（２）と係合して、該端部がフロントパネル（２）に対して位置決めされている。
【０００７】
従って、筐体（１）及びフロントパネル（２）に対するディスク搬送ユニット（３）の組立においては、先ず、ディスク搬送ユニット（３）のフレーム（３１）のフロントパネル（２）側の端部がフロントパネル（２）と係合することによって、該端部のフロントパネル（２）に対する相対位置が決まり、次に、フレーム（３１）の反フロントパネル（２）側の端部が筐体（１）に固定されることによって、該端部の筐体（１）に対する相対位置が決まる。
この結果、筐体（１）に発生する変形に拘わらず、ディスク搬送ユニット（３）のフレーム（３１）のフロントパネル（２）側の端部は、フロントパネル（２）に対して正確に位置決めされることになる。
これによって、収容位置のディスクトレイ（４）はフロントパネル（２）の開口（２１）に対して所定の隙間をもって嵌まり、フロントパネル（２）との干渉が防止される。
【０００８】
具体的には、筐体（１）を構成するベース板（１１）の表面にディスク搬送ユニット（３）のフレーム（３１）が設置され、該フレーム（３１）は、フロントパネル（２）側の端部にてベース板（１１）の表面から離間し、反フロントパネル（２）側の端部にてベース板（１１）の表面に固定されている。
従って、組立工程においてディスク搬送ユニット（３）のフレーム（３１）のフロントパネル（２）側の端部をフロントパネル（２）に係合させる際、係合位置がベース板（１１）に発生している変形によって影響を受けることはない。
【０００９】
又、具体的構成において、ディスク搬送ユニット（３）のフレーム（３１）の反フロントパネル（２）側の端部は、ベース板（１１）の表面にビス止めによって、或いはベース板（１１）に係止されて固定されている。
これによって、ディスク搬送ユニット（３）のフレーム（３１）は筐体（１）及びフロントパネル（２）に対して確実に固定される。
【００１０】
更に具体的な構成において、ディスク搬送ユニット（３）のフレーム（３１）の両側面にはそれぞれダボ（３４）が外向きに突設される一方、フロントパネル（２）には、ディスク搬送ユニット（３）のフレーム（３１）を両側から挟み込む位置に、一対のリブ（２２）（２２）が突設され、各リブ（２２）には、前記ダボ（３４）が密に嵌合すべき切欠き（２３）が凹設されている。
該具体的構成によれば、ディスク搬送ユニット（３）のフレーム（３１）の一対のダボ（３４）（３４）がフロントパネル（２）の一対のリブ（２２）（２２）の切欠き（２３）（２３）に嵌合することによって、フレーム（３１）のフロントパネル（２）に対する相対的な位置が決定される。
【００１１】
【発明の効果】
本発明に係るディスクプレーヤによれば、ディスク搬送ユニットをフロントパネルに対して高い精度で位置決めすることが出来、これによって、ディスクトレイの端部がフロントパネルと干渉する問題を回避することが出来る。
【００１２】
【発明の実施の形態】
以下、本発明の実施の形態につき、図面に沿って具体的に説明する。
本発明に係るディスクプレーヤにおいては、図１に示す如く扁平な金属製の筐体（１）の開口部に合成樹脂製のフロントパネル（２）が取り付けられており、該筐体（１）の内部には、図２の如くディスク搬送ユニット（３）が設置され、筐体（１）を構成する板金製のベース板（１１）上に固定されている。
フロントパネル（２）には、ディスクを排出するための開口（２１）が形成されている。
【００１３】
ディスク搬送ユニット（３）においては、図４に示す如く、合成樹脂製のフレーム（３１）上にディスクトレイ（４）が往復移動可能に支持され、該ディスクトレイ（４）には、モータを動力源とする駆動機構（図示省略）が連繋している。
又、ディスクトレイ（４）の前方端部には、フロントパネル（２）の開口（２１）に僅かな隙間をもって嵌まるシャッター部材（５）が取り付けられている。
【００１４】
ディスク搬送ユニット（３）のフレーム（３１）には、前方側と後方側にそれぞれ左右一対の前脚片（３２）（３２）及び後脚片（３３）（３３）が突設され、前脚片（３２）及び後脚片（３３）の裏面には図５に示す如くそれぞれピン（３６）（３７）が突設されている。
一方、ベース板（１１）の表面には、図４の如くそれぞれ左右一対の前受け座（１２）（１２）及び後受け座（１３）（１３）が一体成型され、前受け座（１２）（１２）には左右方向に長い長孔（１５）（１５）が開設され、後受け座（１３）（１３）には前後方向に長い長孔（１６）（１６）が開設されている。
ディスク搬送ユニット（３）がベース板（１１）上の所定位置に設置されることにより、前脚片（３２）の裏面は前受け座（１２）の表面に、後脚片（３３）の裏面は後受け座（１３）の表面にそれぞれ対向して、ピン（３６）（３７）が長孔（１５）（１６）に嵌入することになる。
【００１５】
更に、ディスク搬送ユニット（３）のフレーム（３１）の両側面には、フロントパネル（２）側の端部に、それぞれ四角柱状のダボ（３４）が外向きに突設されている。又、フレーム（３１）の後方端面には、後方へ向かって突出する一対の突片（３５）（３５）が形成されている。
一方、フロントパネル（２）の内面には、ディスク搬送ユニット（３）のフレーム（３１）を両側から挟み込む位置に、一対の板状リブ（２２）（２２）が突設され、各リブ（２２）の端面には、ディスク搬送ユニット（３）のダボ（３４）が密に嵌合すべきＵ字状の切欠き（２３）が凹設されている。
又、ベース板（１１）には、ディスク搬送ユニット（３）の切起し（１４）（１４）が嵌入すべき切起し（１４）（１４）が形成されている。
【００１６】
組立工程においては、先ず、ディスク搬送ユニット（３）のフレーム（３１）の突片（３５）（３５）をベース板（１１）の切起し（１４）（１４）に差し込むと共に、フレーム（３１）の前脚片（３２）（３２）及び後脚片（３３）（３３）をベース板（１１）の前受け座（１２）（１２）及び後受け座（１３）（１３）に設置する。
【００１７】
次にベース板（１１）にフロントパネル（２）を固定する。これによって、図２の如くフロントパネル（２）の各リブ（２２）の切欠き（２３）とディスク搬送ユニット（３）のフレーム（３１）の各ダボ（３４）とが互いに密に嵌合し、フレーム（３１）のフロントパネル（２）側の端部が、フロントパネル（２）に対して上下及び左右方向に位置決めされることになる。このとき、図３に示す様に、ディスク搬送ユニット（３）の後脚片（３３）の裏面はベース板（１１）の後受け座（１３）の表面に密着するが、前脚片（３２）の裏面と前受け座（１２）の表面との間には、僅かな隙間Ｇ（例えば０．５〜１．０ｍｍ）が形成される様、前受け座（１２）及び後受け座（１３）の高さが設計されている。
【００１８】
これによって、ディスク搬送ユニット（３）のフレーム（３１）に対して、ベース板（１１）に発生している多少の変形に拘わらず、上述のダボ（３４）とリブ（２２）の係合による位置決めが行なわれる。
又、ディスク搬送ユニット（３）の前脚片（３２）に突設したピン（３６）がベース板（１１）の前受け座（１２）に開設した長孔（１５）に嵌入して、フレーム（３１）の前後方向の位置決めが行なわれる。
【００１９】
この様にして組み立てられたディスクプレーヤにおいては、ベース板（１１）の変形に拘わらず、図３に示すディスク収容位置にてシャッター部材（５）がフロントパネル（２）の開口（２１）に所定の隙間で嵌まることになる。従って、ディスクトレイ（４）の往復移動に伴ってシャッター部材（５）がフロントパネル（２）と干渉することはない。
又、ベース板（１１）上にディスク搬送ユニット（３）を固定するために従来の４本のビスは用いられていないので、ベース板（１１）の変形が最小限に抑えられるばかりでなく、部品点数の削減によってコストダウンが実現される。
【００２０】
尚、本発明の各部構成は上記実施の形態に限らず、特許請求の範囲に記載の技術的範囲内で種々の変形が可能である。
例えば、上記実施例においては、図２の如くディスク搬送ユニット（３）の突片（３５）をベース板（１１）の切起し（１４）に嵌入せしめることによって、フレーム（３１）の反フロントパネル（２）側の端部をベース板（１１）に固定しているが、これに限らず、例えば図６に示す様に、ディスク搬送ユニット（３）の後脚片（３３）をベース板（１１）の後受け座（１３）にビス（６）によって固定する構成を採用することも可能である。該構成によっても同様の効果を得ることが出来る。
【図面の簡単な説明】
【図１】本発明に係るディスクプレーヤの外観を示す斜視図である。
【図２】該ディスクプレーヤの内部構造を示す斜視図である。
【図３】同上の断面図である。
【図４】該ディスクプレーヤの分解斜視図である。
【図５】該ディスクプレーヤのディスク搬送ユニットを裏返して示す斜視図である。
【図６】本発明に係るディスクプレーヤの他の実施例を示す分解斜視図である。
【図７】従来のディスクプレーヤの内部構成を示す斜視図である。
【図８】同上の分解斜視図である。
【符号の説明】
（１）  筐体
（１１）  ベース板
（１２）  前受け座
（１３）  後受け座
（１４）  切起し
（２）  フロントパネル
（２１）  開口
（２２）  リブ
（２３）  切欠き
（３）  ディスク搬送ユニット
（３１）  フレーム
（３２）  前脚片
（３３）  後脚片
（３４）  ダボ
（３５）  突片
（４）  ディスクトレイ
（５）  シャッター部材
（６）  ビス
【図１】
2004259331.tif 000003
【図２】
2004259331.tif 000004
【図３】
2004259331.tif 000005
【図４】
2004259331.tif 000006
【図５】
2004259331.tif 000007
【図６】
2004259331.tif 000008
【図７】
2004259331.tif 000009
【図８】
2004259331.tif 000010